(57)【要約】【課題】本発明は高温環境下での電力消費の増大を抑制するようにした表示装置を提供することを目的とする。【解決手段】本発明の表示装置は、画素表示を行う複数の単位画素表示体を含む表示パネルと、表示指令信号に応じて各単位画素表示体に動作電源を供給する画素駆動回路と、温度依存性抵抗と抵抗との直列回路からなり、その両端に所定電圧が印加される抵抗分圧回路と、上記抵抗分圧回路の出力と基準値とをレベル比較して上記表示パネルの温度状態を判別する判別回路と、を備え、上記温度依存性抵抗として上記複数の単位画素表示体のうちいずれかを使用することを特徴とする。【選択図】図９
2007226022.tif 000002
【特許請求の範囲】
【請求項１】
画素表示を行う複数の単位画素表示体を含む表示パネルと、
表示指令信号に応じて各単位画素表示体に動作電源を供給する画素駆動回路と、
温度依存性抵抗と抵抗との直列回路からなり、その両端に所定電圧が印加される抵抗分圧回路と、
前記抵抗分圧回路の出力と基準値とをレベル比較して前記表示パネルの温度状態を判別する判別回路と、を備え、
前記温度依存性抵抗として前記複数の単位画素表示体のうちいずれかを使用することを特徴とする表示装置。
【請求項２】
前記単位画素表示体は、対向電極間に電気泳動粒子を含む分散媒を保持して画素表示を行う電気泳動表示体である、請求項１に記載の表示装置。
【請求項３】
前記温度依存性抵抗として使用される単位画素表示体は前記表示パネルの周辺領域に存在する、請求項１又は２に記載の表示装置。
【請求項４】
前記温度依存性抵抗として使用される単位画素表示体は前記表示パネルの表示領域に存在し、前記判別回路は、前記レベル比較と前記単位画素表示体への動作電源の供給状態とに基づいて前記表示パネルの温度状態の判別を行う、請求項１又は２に記載の表示装置。
【請求項５】
前記判別回路は、前記表示パネルの温度状態を異常と判断としたとき、前記動作電源の供給を停止させる、請求項１乃至４のいずれかに記載の表示装置。
【請求項６】
更に、電池電圧を昇圧して前記動作電源を発生する電源回路を含み、
前記判別回路は、前記表示パネルの温度状態を異常と判断としたとき、前記電源回路の動作を停止させる、請求項１乃至５のいずれかに記載の表示装置。
【請求項７】
更に、前記表示指令信号を形成する表示制御部を含み、
前記判別回路は、前記表示パネルの温度状態を異常と判断としたとき、前記画素駆動回路の動作を停止させる、請求項１乃至６のいずれかに記載の表示装置。
【請求項８】
対向電極間に電気泳動粒子を含む分散媒を保持して画素表示を行う単位電気泳動表示体を複数含む表示パネルと、
表示指令信号に応じて各単位電気泳動表示体の対向電極間に駆動電圧を印加する画素駆動回路と、
温度依存性抵抗と抵抗との直列回路からなり、その両端に所定電圧が印加される抵抗分圧回路と、
前記抵抗分圧回路の出力と基準値とをレベル比較して前記表示パネルの温度状態を判別する第１の判別回路と、を備え、
前記温度依存性抵抗として前記複数の単位電気泳動表示体のうちいずれかを使用することを特徴とする表示装置。
【請求項９】
前記抵抗分圧回路に印加される所定電圧は、前記単位電気泳動表示体に印加される駆動電圧である、請求項８に記載の表示装置。
【請求項１０】
前記温度依存性抵抗として使用される前記単位電気泳動表示体は、前記表示パネルの画素表示に使用されない単位電気泳動表示体である、請求項８又は９に記載の表示装置。
【請求項１１】
前記温度依存性抵抗として使用される前記単位電気泳動表示体は、前記表示パネルの画素表示に使用される単位電気泳動表示体であり、
前記第１の判別回路の出力と、前記表示指令信号のレベルとに基づいて表示パネルの温度状態を判別する第２の判別回路とを更に備える、請求項８又は９に記載の表示装置。
【請求項１２】
前記温度依存性抵抗として使用される前記単位電気泳動表示体は、前記表示パネルの画素表示に使用される単位電気泳動表示体であり、
前記第１の判別回路の出力と前記抵抗分圧回路への印加電圧の方向とに基づいて前記表示パネルの温度状態を判別する第２の判別回路とを更に備える、請求項８又は９に記載の表示装置。
【発明の詳細な説明】
【技術分野】
【０００１】
本発明は電気泳動粒子と分散媒とを対向電極間に収容してなる電気泳動表示装置（以下、「ＥＰＤ」と称する。）に関し、特に、高温環境下における表示体の消費電流の低減に関する。
【背景技術】
【０００２】
ＥＰＤは、着色溶媒中に電気泳動性の顔料微粒子が分散された分散液（分散媒）における顔料粒子の電気泳動現象を用いた非発光型表示装置である。より具体的には、少なくとも一方が透明な対向電極基板（フィルム）間に設けられた空間に分散媒を封入した構造を有し、両電極間に所定電圧を印加して電気泳動性微粒子を泳動させて電極表面に集め、あるいは電極表面から離間させて、電気泳動粒子の位置差で生じる光学的濃度差を利用して画像形成を行う表示装置である。
【０００３】
ＥＰＤには、上述した分散媒を対向電極間に保持するもの（例えば、特許文献１）と、分散媒をマイクロカプセルに封止して対向電極間に保持するもの（例えば、特許文献２）とがある。
【０００４】
このようなＥＰＤは、例えば、可撓性の表示シートを形成可能であり、広視野角性、電源の継続的供給なしでの長時間メモリ性、低消費電力などの多くの優れた特性を有する。このため、電子ブック、携帯情報機器、カレンダー、時計などの電池駆動に好適な表示器として製品開発が進められている。
【特許文献１】特公昭５０−１５１１５号公報
【特許文献２】特許第２５５１７８３号公報
【発明の開示】
【発明が解決しようとする課題】
【０００５】
しかしながら、電気泳動表示装置は上述したような利点を有するものの、高温環境下で使用すると消費電力が増大し、電源電池の寿命が低下することが判った。例えば、表示画素の抵抗値が室温（２５℃）で約１０ＭΩであるものが炎天下の車両内などの高温環境（６０℃）では、約１ＭΩに低下する。このため、対向電極間にリーク電流が生じて消費電力が増大し、電池交換の時期が早くなる。その結果、例えば、電池交換の時期が３年程度に設計された時計が１年程度で電池交換を要することになる。このような不具合は他の種の表示装置においても生じ得る。
【０００６】
よって、本発明は高温環境下での電力消費の増大を抑制するようにした表示装置を提供することを目的とする。
【課題を解決するための手段】
【０００７】
上記目的を達成するため本発明の表示装置は、画素表示を行う複数の単位画素表示体を含む表示パネルと、表示指令信号に応じて各単位画素表示体に動作電源を供給する画素駆動回路と、温度依存性抵抗と抵抗との直列回路からなり、その両端に所定電圧が印加される抵抗分圧回路と、上記抵抗分圧回路の出力と基準値とをレベル比較して上記表示パネルの温度状態を判別する判別回路と、を備え、上記温度依存性抵抗として上記複数の単位画素表示体のうちいずれかを使用することを特徴とする。
【０００８】
かかる構成とすることによって、表示パネルの単位画素表示体を当該表示パネルの温度センサーとして使用するので、正確に表示体の温度状態に応じた制御が可能となる。また、温度センサを別途用意する必要がないので好都合である。
【０００９】
上記単位画素表示体としては、例えば、対向電極間に電気泳動粒子を含む分散媒を保持して画素表示を行う電気泳動表示体が該当する。電気泳動表示体には、内部インピーダンスが温度依存する傾向がある。
【００１０】
上記温度依存性抵抗として使用される単位画素表示体は、例えば、上記表示パネルの周辺領域に存在するものであることが望ましい。表示パネルの周辺領域は一般に筐体の表示窓の額縁領域となり、表示に使用されない。この表示に使用されない単位画素表示体を温度センサとして活用することが出来る。
【００１１】
上記温度依存性抵抗として使用される単位画素表示体は、例えば、上記表示パネルの表示領域に存在し、上記判別回路は、上記レベル比較と上記単位画素表示体への動作電源の供給状態とに基づいて上記表示パネルの温度状態の判別を行うことが望ましい。動作電源の供給状態を加味することにより、表示に使用されている単位画素表示体を温度センサとしても活用することが可能となる。
【００１２】
上記判別回路は、上記表示パネルの温度状態を異常と判断としたとき、上記動作電源の供給を停止させることが望ましい。それにより、高温環境下での電気泳動表示パネルの表示動作を停止させ、電池消耗を減らすことが可能となる。
【００１３】
また、本発明の表示装置は、更に、電池電圧を昇圧して上記動作電源を発生する電源回路を含み、上記判別回路は、上記表示パネルの温度状態を異常と判断としたとき、上記電源回路の動作を停止させる。かかる構成とすることによっても、高温環境下での電気泳動表示パネルの表示動作を停止させ、電池の消耗を回避することが可能となる。
【００１４】
また、本発明の表示装置は、更に、上記表示指令信号を形成する表示制御部を含み、上記判別回路は、上記表示パネルの温度状態を異常と判断としたとき、上記画素駆動回路の動作を停止させる。かかる構成とすることによっても、高温環境下での電気泳動表示パネルの表示動作を停止させ、電池の消耗を回避することが可能となる。
【００１５】
また、本発明の表示装置は、対向電極間に電気泳動粒子を含む分散媒を保持して画素表示を行う単位電気泳動表示体を複数含む表示パネルと、表示指令信号に応じて各単位電気泳動表示体の対向電極間に駆動電圧を印加する画素駆動回路と、温度依存性抵抗と抵抗との直列回路からなり、その両端に所定電圧が印加される抵抗分圧回路と、上記抵抗分圧回路の出力と基準値とをレベル比較して上記表示パネルの温度状態を判別する第１の判別回路と、を備え、上記温度依存性抵抗として上記複数の単位電気泳動表示体のうちいずれかを使用する。
【００１６】
かかる構成とすることによって、表示パネルの単位電気泳動表示体を当該表示パネルの温度センサーとして使用するので、正確に表示体の温度状態に応じた制御が可能となる。また、温度センサを別途用意する必要がないので好都合である。
【００１７】
上記抵抗分圧回路に印加される所定電圧は、上記単位電気泳動表示体に印加される駆動電圧であることが望ましい。
【００１８】
上記温度依存性抵抗として使用される上記単位電気泳動表示体は、上記表示パネルの画素表示に使用されない単位電気泳動表示体であることが望ましい。
【００１９】
上記温度依存性抵抗として使用される上記単位電気泳動表示体は、上記表示パネルの画素表示に使用される単位電気泳動表示体であり、上記第１の判別回路の出力と、上記表示指令信号のレベルとに基づいて表示パネルの温度状態を判別する第２の判別回路とを更に備える、ことが望ましい。
【００２０】
上記温度依存性抵抗として使用される上記単位電気泳動表示体は、上記表示パネルの画素表示に使用される単位電気泳動表示体であり、上記第１の判別回路の出力と上記抵抗分圧回路への印加電圧の方向とに基づいて上記表示パネルの温度状態を判別する第２の判別回路とを更に備えることが望ましい。
【発明を実施するための最良の形態】
【００２１】
以下、本発明の実施の形態を添付図面を参照して説明する。
【００２２】
図１乃至図３は、表示装置としてのＥＰＤを説明する説明図であり、時計・カレンダ表示装置の表示部としてＥＰＤ表示パネルが使用されている。
【００２３】
図１は、時計・カレンダ表示装置１の全体構成を示しており、大別して、時計制御部１０、駆動部２０、ＥＰＤ表示パネル３０、電源部４０及び状態検出部５０等によって構成されている。時計制御部１０はＩＣ化されたマイクロコンピュータ（ＣＰＵ）によって構成され、内蔵する発振器の出力に基づいて年、月日、曜日、午前、午後、時間、分、秒などの情報を形成し、表示用のデータ信号を発生する。駆動部２０はＩＣによって構成され、供給されるデータ信号を各画素等のデータラッチ回路に保持し、駆動回路（ドライバ）から各画素等の駆動信号を出力する。例えば、８０画素（エレメント）の場合、画素信号ＶSEG0〜ＶSEG79を出力する。また、共通電極信号として信号ＶCOMを出力する。
【００２４】
例えば、図２に示すように、ＥＰＤ表示パネル３０は、第１の基板３１上に形成された１つの共通電極３２と、第２の基板３３上に形成されて共通電極３２と対向する複数の画素電極３４と、共通電極３２と複数の画素電極３３との間に保持されるマイクロカプセル３５に閉じ込められた電気泳動分散媒３６によって構成されている。共通電極３２には信号ＶCOMが印加され、複数の画素電極３４にはそれぞれ画素信号ＶSEG0〜ＶSEG79が印加される。電気泳動分散媒３６は電圧の印加によって移動する多数の電気泳動粒子３７と電気泳動粒子３７を移動可能とする絶縁性の液体３８によって構成されている。印加電圧の極性（＋Ｖ、−Ｖ）により、黒表示か白表示かが決定される。
【００２５】
図３は、ＥＰＤ表示パネル３０の表示面を模式的に示している。温度検出素子としてのＥＰＤの単位画素表示体は、ＥＰＤ表示パネル３０の外周領域である額縁領域３０１の単位画素表示体、例えば、単位画素表示体ａ〜ｄ（ＥＰＤ−ａ〜ＥＰＤ−ｄ）のいずれかあるいはこれ等のいずれかを組み合わせて使用することができる。額縁領域３０１は表示器の筐体（例えば時計ケース）によって覆われるので表示としては使用されない領域である。後述のように、表示器の筐体の表示窓内に相当する表示領域３０２において表示に使用されている単位画素表示体、例えば、単位画素表示体ｍ（ＥＰＤ−ｍ）を温度検出素子として使用することもできる。
【００２６】
図４は、単位画素表示体の等価回路を示している。単位画素表示体は、概略、共通電極及び画素電極間の静電容量Ｃと共通電極及び画素電極間の抵抗ＲEPDとの並列回路によって表すことが出来る。抵抗ＲEPDは、Ｒ0＋ｋ・Ｒtemp×Ｔ  として示される。ここで、Ｒ0は室温（２５℃）における抵抗値、ｋは温度係数、Ｒtempは温度当たりの抵抗値、Ｔは室温からの温度上昇分である。
【００２７】
単位画素表示体は、画素電極に印加される電圧ＶSEG（後述のＶ２に対応）及び共通電極に印加されるＶCOMの状態によって、例えば、以下のような表示動作となる。（Ｖ２、ＶCOM）＝（Ｌｏ，Ｌｏ）；表示に変化なし、（Ｖ２、ＶCOM）＝（Ｌｏ，Ｈｉ）；黒表示、（Ｖ２、ＶCOM）＝（Ｈｉ，Ｌｏ）；白表示、（Ｖ２、ＶCOM）＝（Ｈｉ，Ｈｉ）；表示に変化なし、などのモードがある。ここで、Ｌｏは低レベル（例えば、基準電位）、Ｈｉは高レベル（例えば、駆動電位ＶDRV）である。
【００２８】
電源部４０は、例えば、電池（３ボルト）を電源とし、各部の回路電圧とするほか、ＤＣ−ＤＣコンバータによって１２〜１５ボルトに昇圧してＥＰＤ表示パネル３０の駆動電圧ＶDRVを形成する。
【００２９】
状態検出部５０は、後述するように、ＥＰＤの単位画素表示体を温度検出素子としてＥＰＤ表示パネル３０の温度を検出し、その結果に基づいて表示装置の電源等を制御する。例えば、状態検出部５０は、炎天下の車内のダッシュボードのように、ＥＰＤ表示パネル３０が６０度を越える温度になった場合、異常検出信号を発生する。これを電源部４０あるいは時計制御部１０に与えて駆動部３０への電源供給を停止させ、ＥＰＤにおけるリーク電流の増加を回避し、電池の消耗を防止する。
【００３０】
図５は、単位画素表示体を温度検出素子としてのみ使用する場合の状態検出部５０の構成例を示している。
【００３１】
同図に示されるように、電源電圧ＶDRVと電圧ＶCOM（接地電圧）との間に駆動部２０の駆動トランジスタＴＲ１、抵抗Ｒ１及び単位画素表示体ＥＰＤ−ａの抵抗成分ＲEPDが接続されている。駆動トランジスタＴＲ１のゲートには、表示パネルの温度検出を行う場合に外部、例えば時計制御部１０からイネーブル信号が供給される。
【００３２】
抵抗Ｒ１はＰＭＯＳトランジスタＴＲ１のオン抵抗又は配線に接続された抵抗体である。なお、直流回路としてみた場合、単位画素表示体のキャパシタ成分Ｃを無視することができる。抵抗Ｒ１と抵抗ＲEPDとによる抵抗分圧回路の出力電圧Ｖ１は、レベル比較器５１の比較入力端に供給される。レベル比較器５１の基準入力端には比較基準電圧ＶREFが供給される。
【００３３】
レベル比較器５１は、電圧Ｖ１が基準電圧ＶREFよりも大きいとき高レベル（Ｈレベル）出力を発生し、電圧Ｖ１が基準電圧ＶREFよりも小さいとき低レベル（Ｌレベル）出力を発生する。前述したように、抵抗成分ＲEPDは、温度によって１０ＭΩ（室温、２５℃）〜１ＭΩ（６０℃）に変化する。従って、温度の増加に伴って電圧Ｖ１は減少する。抵抗分圧比及び基準電圧ＶREFを適切に設定することによって、ＥＰＤ表示パネル３０が異常温度（抵抗成分ＲEPDが低抵抗）になったときに、レベル比較器５１の出力が低レベル（Ｌ）出力となるようになされる。
【００３４】
このレベル比較器５１の異常検出出力は電源部４０（あるいは時計制御部１０）のラッチ回路に保持され、駆動部２０への電源供給が遮断される。電源供給の遮断は、例えば、図示しない電源スイッチのオンオフによって発生するリセットパルスや所定条件下において発せられる時計制御部１０からの解除指令によって解除される。リーク電流が増大する高温状態においてＥＰＤ表示パネル３０への駆動電源の供給を断つことによって電池消耗が回避される。
【００３５】
次に、画素表示に使用されている単位画素表示体を温度検出素子として使用する場合について説明する。
【００３６】
図６は、単位画素表示体ＥＰＤ−ｍを表示素子として駆動する例を示している。同図に示すように、駆動部２０の図示しない各ラッチ回路に画素データはラッチされ、表示指令信号に相当する表示データ信号としてインバータドライバＩｎｖに入力される。インバータドライバＩｎｖはＰＭＯＳトランジスタとＮＭＯＳトランジスタとよって構成され、表示データ信号に対応して電圧ＶDRVを画素駆動電圧ＶSEGとして単位画素表示体ＥＰＤ−ｍに供給する。
【００３７】
図７は、上述した単位画素表示体ＥＰＤ−ｍの駆動回路に状態検出部５０を組み込んだ例を示している。この実施例では、単位画素表示体ＥＰＤ−ｍが白表示を行うときに異常温度検出を行っている。
【００３８】
同図に示されるように、表示データ信号はインバータドライバＩｎｖに供給され、インバータドライバＩｎｖの出力電圧ＶSEGは、単位画素表示体ＥＰＤ−ｍの画素電極に印加される。インバータドライバＩｎｖはＰＭＯＳトランジスタＴＲ２及びＮＭＯＳトランジスタＴＲ３によって構成される。図中、ＰＭＯＳトランジスタＴＲ２及びＮＭＯＳトランジスタＴＲ３間に示された抵抗Ｒ２はＰＭＯＳトランジスタＴＲ２のオン抵抗又は配線に接続された抵抗体である。
【００３９】
単位画素表示体ＥＰＤ−ｍは直流動作では、キャパシタ成分Ｃを無視することができる。抵抗Ｒ２と抵抗ＲEPDとによる抵抗分圧回路の出力電圧Ｖ２は、レベル比較器５１の比較入力端に供給される。レベル比較器５１の基準入力端には比較基準電圧ＶREF1が供給される。
【００４０】
レベル比較器５１は、電圧Ｖ２が基準電圧ＶREF1よりも大きいとき高レベル（Ｈレベル）出力を発生し、電圧Ｖ２が基準電圧ＶREF1よりも小さいとき低レベル（Ｌレベル）出力を発生する。前述したように、抵抗成分ＲEPDは、温度によって１０ＭΩ（室温２５℃）〜１ＭΩ（６０℃）に変化する。従って、温度の増加に伴って電圧Ｖ２は減少する。抵抗分圧比及び基準電圧ＶREFを適切に設定することによって、ＥＰＤ表示パネル３０が異常温度（抵抗成分ＲEPDが低抵抗）になったときに、レベル比較器５１の出力が低レベル（論理Ｌレベル）出力となるようになされる。
【００４１】
ところで、表示動作中の単位画素表示体ＥＰＤ−ｍは、画素電極に印加される電圧ＶSEG（Ｖ２）のみならず、共通電極に印加される電圧ＶCOMも変化する制御態様を有する。
【００４２】
例えば、前述したように、（Ｖ２、ＶCOM）＝（Ｌｏ，Ｌｏ）；表示に変化なし、（Ｖ２、ＶCOM）＝（Ｌｏ，Ｈｉ）；黒表示、（Ｖ２、ＶCOM）＝（Ｈｉ，Ｌｏ）；白表示、（Ｖ２、ＶCOM）＝（Ｈｉ，Ｈｉ）；表示に変化なし、などのモードがある。このうち、本実施例の回路構成で温度検出に使用できるのは、抵抗分圧回路の抵抗Ｒ２側の端部に電圧ＶRDVが印加され、抵抗ＲEPD側の端部が接地されている場合（抵抗Ｒ２側が高電位、抵抗成分ＲEPD側が低電位）、すなわち、「（Ｖ２、ＶCOM）＝（Ｈｉ，Ｌｏ）；白表示」の場合である。
【００４３】
表示データ信号がＬレベルのとき、ＰＭＯＳトランジスタがオンとなって分圧出力Ｖ２は室温であれば基準電圧ＶREFよりも高いＨレベルとなる。また、分圧出力Ｖ２は異常温度状態であれば基準電圧ＶREFよりも低いＬレベルとなる。この条件を加味して判別するために、レベル比較器５１の出力と表示データ信号がノアゲート５２に入力され、共にＬレベルであるときに、ノアゲート５２から異常検出信号（Ｈレベル）を発生するようにしている。このように動作するノアゲート５２は抵抗分圧回路への電圧印加方向の判別をしているともいえる。
【００４４】
なお、表示データ信号がＬレベルとなる状態には、「（Ｖ２、ＶCOM）＝（Ｈｉ，Ｈｉ）；表示に変化なし」の場合も含まれるが、この場合には、ＶDRV＝ＶCOM＝１２〜１５ボルトとなり、Ｖ２は高レベルとなり、レベル比較器５１の出力は、Ｈレベル（論理レベル）となって異常検出信号は発生しない。前述したように、異常検出出力は電源部４０の図示しないラッチ回路に保持され、駆動部２０への電源供給が遮断される。
【００４５】
図８は、単位画素表示体ＥＰＤ−ｍの駆動回路に状態検出部５０を組み込んだ他の例を示している。この実施例では、単位画素表示体ＥＰＤ−ｍが黒表示を行うときに異常温度検出を行っている。
【００４６】
同図に示されるように、表示データ信号はインバータドライバＩｎｖに供給され、インバータドライバＩｎｖの出力電圧ＶSEGは、単位画素表示体ＥＰＤ−ｍの画素電極に印加される。前述したように、インバータドライバＩｎｖはＰＭＯＳトランジスタＴＲ２及びＮＭＯＳトランジスタＴＲ３によって構成される。図中、ＰＭＯＳトランジスタＴＲ２及びＮＭＯＳトランジスタＴＲ３間に示された抵抗Ｒ３はＮＭＯＳトランジスタＴＲ３のオン抵抗又は配線に接続された抵抗体である。単位画素表示体ＥＰＤ−ｍは直流動作では、キャパシタ成分Ｃを無視することができる。抵抗Ｒ３と抵抗ＲEPDとによる抵抗分圧回路の出力電圧Ｖ２は、レベル比較器５３の比較入力端に供給される。レベル比較器５３の基準入力端には比較基準電圧ＶREF2が供給される。
【００４７】
レベル比較器５３は、電圧Ｖ２が基準電圧ＶREF2よりも大きいとき高レベル（論理Ｈレベル）出力を発生し、電圧Ｖ２が基準電圧ＶREF2よりも小さいとき低レベル（論理Ｌレベル）出力を発生する。前述したように、抵抗成分ＲEPDは、温度によって１０ＭΩ（室温２５℃）〜１ＭΩ（６０℃）に変化する。
【００４８】
単位画素表示体ＥＰＤ−ｍが黒表示を行う場合、表示データ信号は高レベル信号、ＶCOMは高レベルとなる（（Ｖ２、ＶCOM）＝（Ｌｏ，Ｈｉ）；黒表示）。それにより、ＰＭＯＳトランジスタは非導通、ＮＭＯＳトランジスタは導通となり、抵抗分圧回路には、ＶCOM側からトランジスタＴＲ３側に向かって電圧が印加される。従って、このときに温度の増加に伴って抵抗ＲEPDが減少すると、分圧回路の出力電圧Ｖ２は増加する。抵抗分圧比及び基準電圧ＶREF2を適切に設定することによって、ＥＰＤ表示パネル３０が異常温度（抵抗成分ＲEPDが低抵抗）になったときに、レベル比較器５３の出力が高レベル（論理Ｈレベル）出力となるようになされる。
【００４９】
この判別は、単位画素表示体ＥＰＤ−ｍが黒表示を行っている状態を前提としているので、アンドゲート５４によってレベル比較器５３の出力及び表示データ信号が共に高レベル（Ｈレベル）であるかどうかが判断される。アンドゲート５４は抵抗分圧回路への電圧印加方向の判別をしているといえる。共に高レベルであると、アンドゲート５４は異常検出信号を出力する。本実施例においても、異常検出出力は電源部４０の図示しないラッチ回路に保持され、駆動部２０への電源供給が遮断される。
【００５０】
図９は、単位画素表示体ＥＰＤ−ｍの駆動回路に状態検出部５０を組み込んだ更に他の例を示している。この実施例では、単位画素表示体ＥＰＤ−ｍが白又は黒表示を行うときに異常温度検出を行っている。同図において、図７及び図８と対応する部分には同一符号が付されている。
【００５１】
同図に示されるように、表示データ信号はインバータドライバＩｎｖに入力され、インバータドライバＩｎｖの出力電圧ＶSEGは、単位画素表示体ＥＰＤ−ｍの画素電極に印加される。前述したように、インバータドライバＩｎｖはＰＭＯＳトランジスタＴＲ２及びＮＭＯＳトランジスタＴＲ３によって構成される。図中、ＰＭＯＳトランジスタＴＲ２及びＮＭＯＳトランジスタＴＲ３間に示された抵抗Ｒ２及びＲ３はそれぞれＰＭＯＳトランジスタＴＲ２及びＮＭＯＳトランジスタＴＲ３のオン抵抗あるいは配線に接続された抵抗体である。単位画素表示体ＥＰＤ−ｍは直流動作では、キャパシタ成分Ｃを無視することができる。
【００５２】
前述したように、低レベルの表示データ信号が供給される白表示の動作状態（（Ｖ２、ＶCOM）＝（Ｈｉ，Ｌｏ））では、抵抗Ｒ２と抵抗ＲEPDからなる抵抗分圧回路が構成される。この分圧出力Ｖ２は、レベル比較器５１によって基準電圧ＶREF1と比較され、比較結果がノアゲート５２の一方入力端に入力される。ノアゲート５２の他方入力端には表示データ信号が入力される。
【００５３】
かかる構成によって、単位画素表示体ＥＰＤ−ｍの白表示の動作において、異常温度になるとノアゲート５２からＨレベルの異常検出信号が出力され、オアゲート５５を介して出力される。
【００５４】
また、高レベルの表示データ信号が供給される黒表示の動作状態（（Ｖ２、ＶCOM）＝（Ｌｏ，Ｈｉ））では、抵抗Ｒ３と抵抗ＲEPDからなる抵抗分圧回路が構成される。この分圧出力Ｖ２は、レベル比較器５３によって基準電圧ＶREF2と比較され、比較結果がアンドゲート５４の一方入力端に入力される。アンドゲート５４の他方入力端には表示データ信号が入力される。
【００５５】
かかる構成によって、単位画素表示体ＥＰＤ−ｍの黒表示の動作において、異常温度になるとアンドゲート５４からＨレベルの異常検出信号が出力され、オアゲート５５を介して出力される。オアゲート５５から出力された異常検出出力は電源部４０の図示しないラッチ回路に保持され、駆動部２０への電源供給が遮断される。上述したノアゲート５２及びアンドゲート５４は抵抗分圧回路への電圧印加方向の判別をしているといえる。
【００５６】
なお、上述した実施例では、単位画素表示体を温度センサとして１つ使用した例で説明したが、複数の単位画素表示体を温度センサとして使用しても良い。
【００５７】
このように、単位画素表示体ＥＰＤ−ｍの白表示及び黒表示の両表示状態において異常温度の検出が行われ、いずれの表示状態であっても異常温度を検出することができる。
【図面の簡単な説明】
【００５８】
【図１】図１は、ＥＰＤ表示装置の全体構成を説明するブロック図である。
【図２】図２は、ＥＰＤ表示パネルを説明する説明図（断面図）である。
【図３】図３は、ＥＰＤ表示パネルの表示領域を説明する説明図である。
【図４】図４は、単位画素表示体の等価回路を説明する回路図である。
【図５】図５は、単位画素表示体を専らセンサとして使用する第１の実施例を説明する説明図である。
【図６】図６は、単位画素表示体を温度センサとして利用する第２の実施例を説明する説明図である。
【図７】図７は、単位画素表示体の白表示状態において単位画素表示体を温度センサとして利用する第３の実施例を説明する説明図である。
【図８】図８は、単位画素表示体の黒表示状態において単位画素表示体を温度センサとして利用する第４の実施例を説明する説明図である。
【図９】図９は、単位画素表示体の白表示及び黒表示状態において単位画素表示体を温度センサとして利用する第５の実施例を説明する説明図である。
【符号の説明】
【００５９】
５１，５３  レベル比較器、５２  ナンドゲート、５４  アンドゲート、５５  オアゲート、ＴＲ２  ＰＭＯＳトランジスタ、ＴＲ３  ＮＭＯＳトランジスタ、ＥＰＤ−ａ，ＥＰＤ−ｍ  単位画素表示体
【図１】
2007226022.tif 000003
【図２】
2007226022.tif 000004
【図３】
2007226022.tif 000005
【図４】
2007226022.tif 000006
【図５】
2007226022.tif 000007
【図６】
2007226022.tif 000008
【図７】
2007226022.tif 000009
【図８】
2007226022.tif 000010
【図９】
2007226022.tif 000011